(57)【特許請求の範囲】
【請求項１】
芯線の周囲を絶縁被覆により取り囲んで形成されるケーブルの端部に設けられて、相手側コネクタと接続されるケーブルコネクタであって、
単数本のケーブルの端部に設けられる第１コンタクトと、
複数本のケーブルの端部に設けられる第２コンタクトと、
前記第１コンタクトおよび前記第２コンタクトを選択的に収容可能な複数のコンタクト収容部を有したハウジングとを備え、
前記第１コンタクトは、前記単数本のケーブルの芯線に接続される第１コンタクト本体部と、前記単数本のケーブルの絶縁被覆を保持する第１被覆保持部とを有し、
前記第２コンタクトは、当該コンタクトの軸方向と直交する方向に重ね合わされた前記複数本のケーブルの芯線に接続される第２コンタクト本体部と、前記直交方向に重ね合わされた前記複数本のケーブルの絶縁被覆を保持する第２被覆保持部とを有し、
前記コンタクト収容部は、前記軸方向に沿って形成された一端側収容空間と、前記一端側収容空間と前記軸方向に繋がり前記一端側収容空間よりも前記直交方向の幅が大きく形成された他端側収容空間とを有し、
前記第１コンタクトは、前記第１コンタクト本体部および前記第１被覆保持部が前記一端側収容空間内に保持され、
前記第２コンタクトは、当該第２コンタクトのうち、前記第２コンタクト本体部が前記一端側収容空間内に保持され、前記第２被覆保持部が前記他端側収容空間内に保持されるように構成したことを特徴とするケーブルコネクタ。
【発明の詳細な説明】
【技術分野】
【０００１】
本発明は、ケーブルの端部に設けられるケーブルコネクタに関する。
【背景技術】
【０００２】
従来からケーブルコネクタとして、ケーブルの芯線および絶縁被覆を金属製のコンタクトにより圧着することで、ケーブルの端部にコンタクトを固定するとともに、ケーブルとコンタクトとを導通させる構成のコネクタが知られている（例えば、特許文献１を参照）。このようなケーブルコネクタは、ハウジング内に所定の配列にて複数のコンタクトを収容保持するものとなっているが、近年では、その要求仕様に応じて、同じハウジング内に単数本のケーブルを圧着した第１コンタクトと複数本のケーブルを圧着した第２コンタクトとを混在させる場合がある。すなわち、例えば接続対象の相手側コネクタからの信号を１本のケーブルのみに伝送する場合と、相手側コネクタからの信号を複数本のケーブルに分岐して伝送する場合とがあり、それを一つのケーブルコネクタで両立させるために、上記二種類のコンタクトを混在させるものである。
【０００３】
上記ケーブルコネクタの一例を図１９に示す。図１９（ａ）に示すように、従来のケーブルコネクタ１５０は、複数のコンタクト収容空間１６５を有したハウジング１６０と、１本のケーブルＣの端部に圧着保持された第１コンタクト１７０と、２本のケーブルＣの端部に圧着保持された第２コンタクト１８０とを備えて構成されている。第１コンタクト１７０は、１本のケーブルＣの芯線Ｃ１に圧着された芯線圧着部１７８と、該ケーブルＣの絶縁被覆Ｃ２に圧着された被覆圧着部１７９とを有する。一方、第２コンタクト１８０は、２本のケーブルＣの芯線Ｃ１に圧着された芯線圧着部１８８と、該ケーブルＣの絶縁被覆Ｃ２に圧着された被覆圧着部１８９とを有する。図示の例では、説明の便宜上（両コンタクト１７０，１８０を比較しやすいように）、第１コンタクト１７０を下列のコンタクト収容空間１６５に取り付け、第２コンタクト１８０を上列のコンタクト収容空間１６５に取り付けた場合を例示している。
【先行技術文献】
【特許文献】
【０００４】
【特許文献１】特開２０１５−１０６４２８号公報
【発明の概要】
【発明が解決しようとする課題】
【０００５】
上記ケーブルコネクタ１５０においては、その使用によってケーブルＣに煽りが生じると、コンタクト１７０，１８０（特にケーブルＣとコンタクト１７０，１８０との接続部分である被覆圧着部１７９，１８９）に垂直方向の力が作用する場合がある。このとき、上列の第２コンタクト１８０では、図１９（ｂ）に示すように、被覆圧着部１８９とコンタクト収容空間１６５の内壁との間には、僅かな隙間しかないため、被覆圧着部１８９に対して垂直方向（図では上方向）の力が作用した場合であっても、被覆圧着部１８９の変位は一定の範囲内に制限される。一方、下列の第１コンタクト１７０では、図１９（ｃ）に示すように、被覆圧着部１７９とコンタクト収容空間１６５の内壁との間に、必然的にケーブル１本分に相当する大きな隙間が形成されてしまうため、被覆圧着部１７９に対して垂直方向（図では下方向）の力が作用した場合には、被覆圧着部１７９が過剰に変位して、第１コンタクト１７０が塑性変形するおそれがある。そのため、従来のケーブルコネクタ１５０では、その要求仕様に応じてハウジング１６０を変更することなく、上記二種類のコンタクト１７０，１８０を自由に配置することが困難であるという課題があった。
【０００６】
本発明は、このような課題に鑑みてなされたものであり、ハウジングを変更することなくケーブルの接続本数の異なる二種類のコンタクトを自由な配置で混在させても、コンタクトの過剰な変形を防止することのできるケーブルコネクタを提供することを目的とする。
【課題を解決するための手段】
【０００７】
上記目的を達成するため、本発明に係るケーブルコネクタは、芯線の周囲を絶縁被覆により取り囲んで形成されるケーブルの端部に設けられて、相手側コネクタと接続されるケーブルコネクタ（例えば、実施形態におけるレセプタクルコネクタ５０）であって、単数本のケーブルの端部に設けられる第１コンタクト（例えば、実施形態における第１レセプタクルコンタクト７０）と、複数本のケーブルの端部に設けられる第２コンタクト（例えば、実施形態における第２レセプタクルコンタクト８０）と、前記第１コンタクトおよび前記第２コンタクトを選択的に収容可能な複数のコンタクト収容部（例えば、実施形態におけるコンタクト収容空間６５）を有したハウジング（例えば、実施形態におけるレセプタクルハウジング６０）とを備え、前記第１コンタクトは、前記単数本のケーブルの芯線に接続される第１コンタクト本体部（例えば、実施形態における接続部７３、芯線圧着部７８）と、前記単数本のケーブルの絶縁被覆を保持する第１被覆保持部（例えば、実施形態における被覆圧着部７９）とを有し、前記第２コンタクトは、当該コンタクトの軸方向と直交する方向に重ね合わされた前記複数本のケーブルの芯線に接続される第２コンタクト本体部（例えば、実施形態における接続部８３、芯線圧着部８８）と、前記直交方向に重ね合わされた前記複数本のケーブルの絶縁被覆を保持する第２被覆保持部（例えば、実施形態における被覆圧着部８９）とを有し、前記コンタクト収容部は、前記軸方向に沿って形成された一端側収容空間（例えば、実施形態における前側空間６６）と、前記一端側収容空間と前記軸方向に繋がり前記一端側収容空間よりも前記直交方向の幅が大きく形成された他端側収容空間（例えば、実施形態における後側空間６７）とを有し、前記第１コンタクトは、前記第１コンタクト本体部および前記第１被覆保持部が前記一端側収容空間内に保持され、前記第２コンタクトは、当該第２コンタクトのうち、前記第２コンタクト本体部が前記一端側収容空間内に保持され、前記第２被覆保持部が前記他端側収容空間内に保持されるように構成したことを特徴とする。
【発明の効果】
【０００８】
本発明に係るケーブルコネクタによれば、ハウジング内のコンタクト収容部を二種類のコンタクト間で共通としながらも、第１コンタクトと第２コンタクトとの軸方向の長さを互いに異ならしめて、第１コンタクトのうち単数本のケーブルとの接続部分である第１被覆保持部を狭幅の一端側収容空間に位置させるとともに、第２コンタクトのうち複数本のケーブルとの接続部分である第２被覆保持部を広幅の他端側収容空間に位置させて、各コンタクトの被覆保持部とコンタクト収容部の内壁とを僅かなクリアランスで対峙させることで、ケーブルに煽り等の外力が付加されて各コンタクトの被覆保持部に垂直な力が生じた場合でも、コンタクト収容部の内壁との当接により、被覆保持部の変位量を弾性変形可能な範囲内に制限して、各コンタクトの過剰な変形を防止することができ、その結果、ハウジングを変更することなく、単数本用の第１コンタクトと複数本用の第２コンタクトとの二種類のコンタクトを自由な配置で混在させることが可能となる。
【図面の簡単な説明】
【０００９】
【図１】本発明の一実施形態に係るレセプタクルコネクタ（ケーブルコネクタ）を備えたコネクタ装置の平面図である。
【図２】上記コネクタ装置の側面図である。
【図３】上記コネクタ装置を構成するプラグコネクタ（基板コネクタ）の正面図である。
【図４】上記プラグコネクタの背面図である。
【図５】上記プラグコネクタの側断面図である。
【図６】上記レセプタクルコネクタの斜視図である。
【図７】上記レセプタクルコネクタの斜視断面図である。
【図８】上記レセプタクルコネクタの正面図である。
【図９】上記レセプタクルコネクタの背面図である。
【図１０】上記レセプタクルコネクタの側断面図である。
【図１１】上記レセプタクルコネクタのレセプタクルハウジングの断面図である。
【図１２】上記レセプタクルコネクタの第１レセプタクルコンタクトの斜視図である。
【図１３】（ａ）は上記第１レセプタクルコンタクトの平面図、（ｂ）は上記第１レセプタクルコンタクトの側面図、（ｃ）は上記第１レセプタクルコンタクトの底面図である。
【図１４】（ａ）は上記第１レセプタクルコンタクトの加締め前の状態の側面図、（ｂ）は上記第１レセプタクルコンタクトの加締め前の状態の正面図である。
【図１５】上記レセプタクルコネクタの第２レセプタクルコンタクトの斜視図である。
【図１６】（ａ）は上記第２レセプタクルコンタクトの平面図、（ｂ）は上記第２レセプタクルコンタクトの側面図、（ｃ）は上記第２レセプタクルコンタクトの底面図である。
【図１７】（ａ）は上記第２レセプタクルコンタクトの加締め前の状態の側面図、（ｂ）は上記第２レセプタクルコンタクトの加締め前の状態の正面図である。
【図１８】上記レセプタクルコネクタの作用を説明するための側断面図である。
【図１９】従来のケーブルコネクタの作用を説明するための側断面図である。
【発明を実施するための形態】
【００１０】
以下、本発明の好ましい実施形態について図面を参照しながら説明する。本発明の一実施形態に係るケーブルコネクタを適用したコネクタ装置１を図１〜図２に示している。このコネクタ装置１は、基板Ｂ上に取り付けられたプラグコネクタ（基板コネクタ）１０と、複数のケーブルＣの端部に取り付けられたレセプタクルコネクタ（ケーブルコネクタ）５０とから構成されており、両コネクタ１０，５０を基板Ｂの表面方向に嵌合させることにより、両コネクタ１０，５０を介して基板ＢとケーブルＣとが電気的に接続されるようになっている。なお、本実施形態では、コネクタ装置１を介して、基板Ｂ側からケーブルＣ側へ各種信号（電源信号、制御信号等）が伝送される仕組みとなっている。以下の説明では、便宜上、前後左右及び上下の方向を図１及び図２に示す状態を基準として定義しており、この図１及び図２に示す矢印の方向を前後、左右、上下と称して説明する。
【００１１】
まず、プラグコネクタ１０の構成について、図３〜図５を追加参照して説明する。プラグコネクタ１０は、基板Ｂ上に取り付けられるプラグハウジング２０と、このプラグハウジング２０の幅方向（左右方向）に沿って上下二列の整列状態で保持される複数のプラグコンタクト３０，４０とを備えて構成される。
【００１２】
プラグハウジング２０は、合成樹脂等の電気絶縁性の材料を用いて成形されている。このプラグハウジング２０は、プラグコンタクト３０，４０を保持する基壁２１と、基壁２１の上下の端部に設けられた水平壁２２と、基壁２１の左右の端部に設けられた垂直壁２３とを有して、全体として矩形箱状に形成されている。このプラグハウジング２０には、各壁面に囲まれて後方に開放される嵌合凹部２４が画成されている。この嵌合凹部２４内には、水平壁２２と平行に延びる第１仕切壁２５と、この第１仕切壁２５と直交して延びる複数の第２仕切壁２６とが設けられている。そのため、嵌合凹部２４は、第１仕切壁２５と第２仕切壁２６とで相互に仕切られて、上下の二列に配置された複数（１２個）の受容空間２７に分割されている。その結果、プラグハウジング２０には、レセプタクルコネ
クタ５０と対向する側に開放された計１２個（上列に６個、下列に６個）の受容空間２７が設けられている。また、基壁２１には、各受容空間２７の中央位置に整合して、プラグコンタクト３０，４０を圧入するためのコンタクト保持孔２１ａが前後に貫通されている。また、プラグハウジング２０の底面側には、金属製の取付金具２８が下方に突設されている。この取付金具２８は、基板Ｂ上のマウントパターンに半田付けされることで、基板Ｂに対するプラグコネクタ１０の浮き止め効果を発揮する。
【００１３】
プラグコンタクト３０，４０は、金属等の導電性材料の薄平板にプレス加工（打ち抜き加工および曲げ加工など）を施して図５等に示す所定形状に形成されている。本例では、第１プラグコンタクト３０は下列のコンタクト保持孔２１ａに圧入され、第２プラグコンタクト４０は上列のコンタクト保持孔２１ａに圧入される。
【００１４】
第１プラグコンタクト３０は、その先端側から順に、嵌合凹部２４内においてコネクタ１０，５０の嵌合方向（前後方向）に沿って突出する接触部３１と、基壁２１のコンタクト保持孔２１ａに圧入される圧入部３２と、この圧入部３２から略直角に折曲して下方に延びる曲部３３と、プラグハウジング２０の下端から突出して基板Ｂの信号端子に接続されるリード部３４とを有し、全体として略Ｌ字形に構成されている。なお、第１プラグコンタクト３０は、その表面に金（Ａｕ）などの薄膜を被覆する所要の表面処理（めっき処理）が施されている。
【００１５】
第２プラグコンタクト４０は、その先端側から順に、嵌合凹部２４内においてコネクタ１０，５０の嵌合方向（前後方向）に沿って突出する接触部４１と、基壁２１のコンタクト保持孔２１ａに圧入される圧入部４２と、この圧入部４２から略直角に折曲して下方に延びる曲部４３と、プラグハウジング２０の下端から突出して基板Ｂの信号端子に接続されるリード部４４とを有し、全体として略Ｌ字形に構成されている。なお、第２プラグコンタクト４０は、その表面に金（Ａｕ）などの薄膜を被覆する所要の表面処理（めっき処理）が施されている。
【００１６】
続いて、レセプタクルコネクタ５０の構成について、図６〜図１７を追加参照して説明する。レセプタクルコネクタ５０は、相手側のプラグハウジング２０と嵌合可能に形成されたレセプタクルハウジング６０と、このレセプタクルハウジング６０の幅方向（左右方向）に沿って上下二列の整列状態で保持される複数のレセプタクルコンタクト７０，８０とを備えて構成される。このレセプタクルコネクタ５０は、レセプタクルハウジング６０内に第１レセプタクルコンタクト７０と第２レセプタクルコンタクト８０とを所定の配置にて混在させることで、プラグコネクタ１０からの各種信号（電源信号、制御信号等）を第１レセプタクルコンタクト７０を介して１本のケーブルＣに伝送することと、プラグコネクタ１０からの各種信号（電源信号、制御信号等）を第２レセプタクルコンタクト８０を介して２本のケーブルＣに分岐して伝送することとの両立が図られている。なお、図には、便宜上、最も左側に位置した上下一組のレセプタクルコンタクト７０，８０のみを図示している。
【００１７】
レセプタクルハウジング６０は、上記プラグハウジング２０と同様に合成樹脂等の電気絶縁性の材料を用いて成形されており、左右方向に延びた横長の基部６１と、この基部６１から前方に突出して延びてプラグコネクタ１０の嵌合凹部２４に嵌合される突起状の嵌合凸部６２とを備えている。
【００１８】
嵌合凸部６２は、前後方向に延びて上下の二列に配置された複数（１２個）のコンタクト収容突起６３と、コンタクト収容突起６３と平行に延びる複数（４個）の案内突起６４とを有している。コンタクト収容突起６３は、上下および左右の側板に囲まれて前後方向に延びる矩形の中空筒状に形成され、プラグコネクタ１０の受容空間２７に挿入可能に構
成されている。案内突起６４の前端部６４ａは、前方に向けて細くなる先細り形状をなしており、各稜線部にはＲ面取りが施されている。
【００１９】
レセプタクルハウジング６０には、各コンタクト収容突起６３の配設位置（各コンタクト収容突起６３の中心位置）に対応して、その嵌合方向（前後方向）に延びる長孔状のコンタクト収容空間６５が貫通形成されている。すなわち、レセプタクルハウジング６０には、上列に６個、下列に６個のコンタクト収容空間６５が配設されている。各コンタクト収容空間６５は、二種類のコンタクト間（第１レセプタクルコンタクト７０、第２レセプタクルコンタクト８０）で共通であり、各レセプタクルコンタクト７０，８０を保持可能に構成されている。なお、上列のコンタクト収容空間６５と下列のコンタクト収容空間６５とは、上下対称形状をなしている。
【００２０】
コンタクト収容空間６５は、嵌合方向の一方側（前側）に形成されて嵌合凸部６２の前端側に開口される前側空間６６と、嵌合方向の他方側（後側）に形成されて基部６１の後端側に開口される後側空間６７とが一体的に繋がって構成されている。コンタクト収容空間６５（前側空間６６）の前端側には相手側のプラグコンタクト１０を受容するためのコンタクト受容口６５ａが開設され、コンタクト収容空間６５（後側空間６７）の後端側にはレセプタクルコンタクト７０，８０を挿し込むためのコンタクト挿込口６５ｂが開設されている。ここで、前側空間６６の縦幅（上下方向の幅）は、後側空間６７の縦幅（上下方向の幅）よりも小さい幅寸法に設定されている。つまり、後側空間６７には、レセプタクルハウジング６０の前部と後部との肉厚の差によって形成された段差部６７ａが画成されており、後側空間６７は該段差部６７ａの分（ケーブル約１本分）だけ前側空間６６よりも縦幅が大きく形成されている。具体的には、前側空間６６の縦幅は、ケーブル１本分の直径よりも大きく且つケーブル２本分の直径よりも小さく形成される一方で、後側空間６７の縦幅は、ケーブル２本分の直径よりも大きく且つケーブル３本分の直径よりも小さく形成されている。
【００２１】
また、コンタクト収容突起６３の上下の壁部には、コンタクト収容空間６５の開口端（コンタクト受容口６５ａ）に向けて片持ち状に延出されて上下方向に弾性変形が可能なアーム部６３ａが設けられている。このアーム部６３ａの内面側には、レセプタクルコンタクト７０，８０と係合して該レセプタクルコンタクト７０，８０の抜け止めとして作用するラッチ部６３ｂが突設されている。
【００２２】
レセプタクルコンタクト７０，８０は、金属等の導電性材料の薄平板にプレス加工（打ち抜き加工および曲げ加工など）を施して図１３〜図１７等に示す所定形状に形成されている。各レセプタクルコンタクト７０，８０は、ケーブルＣと圧着接続するための圧着端子として構成されている。第１レセプタクルコンタクト７０は、単数本（１本）のケーブルＣの端部に圧着接続され、第２レセプタクルコンタクト８０は、複数本（２本）のケーブルＣの端部に圧着接続される。ここで、ケーブルＣは、複数本の極細電線を寄り合わせて作られた芯線Ｃ１が絶縁材料からなる絶縁被覆Ｃ２により覆われて構成されており、絶縁被覆Ｃ２が部分的に除去されてケーブルＣの端部において芯線Ｃ１が露出するようになっている。
【００２３】
本実施形態では、レセプタクルコンタクト７０，８０の配置の一例として、第１レセプタクルコンタクト７０を下列のコンタクト収容空間６５に取り付け、第２レセプタクルコンタクト８０を上列のコンタクト収容空間６５に取り付けている。なお、各レセプタクルコンタクト７０，８０は、その要求仕様に応じて、複数のコンタクト収容空間６５のうちのいずれかに選択的に取り付けることが可能であり、レセプタクルハウジング６０内での配置の自由度が確保されている（レセプタクルハウジング６０の形状等によって制約を受けることがない）。
【００２４】
第１レセプタクルコンタクト７０は、その先端側から順に、左右の側板部７１およびこれらを繋ぐ上板部７２を有してなる接続部７３と、この接続部７３の後部に繋がりケーブルＣの芯線Ｃ１を保持する芯線圧着部７８と、この芯線圧着部７８の後部に繋がりケーブルＣの絶縁被覆Ｃ２を保持する被覆圧着部７９とを備えて構成される。
【００２５】
接続部７３には、各側板部７１の開放端から内側に折り返されて前方に向けて片持ち状に延出される一対の弾性片部７４が設けられている。この弾性片部７４は、平面視において「へ」の字形に折曲形成されており、その折曲部分に凸状の接触部７５が設けられている。一対の接触部７５は、弾性片部７４の自由端側において左右に対向配置されており、この弾性片部７４の弾性変形に応じて、その対向方向（すなわち近接又は離間する方向）に変位可能である。この一対の接触部７５の間隔は、第１プラグコンタクト３０の板厚よりも小さく形成されており、弾性片部７４の弾性力（復元力）に基づいて該第１プラグコンタクト３０の接触部３１を弾性的に両側から挟み込んだ状態で接触可能となっている。そのため、第１レセプタクルコンタクト７０は、その一対の接触部７５により第１プラグコンタクト３０と二点で接触が可能である。
【００２６】
また、左右の側板部７１には、コンタクト収容空間６５に対する第１レセプタクルコンタクト７０の逆挿し（上下反対姿勢での挿し込み）を防止するための規制片部７１ａが設けられている。すなわち、第１レセプタクルコンタクト７０がコンタクト収容空間６５に対して正規の向き（規制片部７１ａが下向き）である場合に第１レセプタクルコンタクト７０の挿入を許容し、第１レセプタクルコンタクト７０がコンタクト収容空間６５に対して非正規の向き（規制片部７１ａが上向き）である場合に第１レセプタクルコンタクト７０の挿入を規制する（規制片部７１ａが上壁に干渉する）ようになっている。また、左右の側板部７１には、コンタクト収容突起６３のラッチ部６３ｂと係合可能な係止部７１ｂが形成されている。第１レセプタクルコンタクト７０は、この係止部７１ｂとラッチ部６３ｂとの係合によって、コンタクト収容空間６５内での前後方向の位置が規定される。
【００２７】
被覆圧着部７８は、Ｕ字状に起立する一対の圧着片７８ａを有し、この圧着片７８ａを加締めることで１本のケーブルＣの被覆部Ｃ２を圧着可能に形成されている。芯線圧着部７９は、Ｕ字状に起立する一対の圧着片７９ａを有し、この圧着片７９ａを加締めることで１本のケーブルＣの芯線Ｃ１を圧着可能に形成されている。なお、第１レセプタクルコンタクト７０の接続部７３、芯線圧着部７８および被覆圧着部７９の縦幅（上下方向の幅）は、前側空間６６の縦幅（上下方向の幅）よりも小さく形成されている。
【００２８】
ここで、第１レセプタクルコンタクト７０にケーブルＣ（１本のケーブルＣ）を接続するには、このケーブルＣの絶縁被覆Ｃ２に第１レセプタクルコンタクト７０の被覆圧着部７９を加締め加工（圧着）するとともに、ケーブルＣから露出した芯線Ｃ１部分に第１レセプタクルコンタクト７０の芯線圧着部７８を加締め加工（圧着）する。これにより、第１レセプタクルコンタクト７０がケーブルＣの端部に固定されるとともに、第１レセプタクルコンタクト７０とケーブルＣとが導通される。
【００２９】
この第１レセプタクルコンタクト７０は、レセプタクルハウジング６０の後端部に開口された下列のコンタクト収容空間６５に挿入されて、規制片部７１ａが上向きとなる収容姿勢でコンタクト収容空間６５内に取り付けられる。このとき、第１レセプタクルコンタクト７０の係止部７１ｂがコンタクト収容突起６３のラッチ部６３ｂと係合して第１レセプタクルコンタクト７０の前後方向の移動が規制されるとともに、第１レセプタクルコンタクト７０がコンタクト収容空間６５の壁面と近接又は当接して第１レセプタクルコンタクト７０の上下左右への移動が規制されることで、第１レセプタクルコンタクト７０がレセプタクルハウジング６０内に抜け止め状態で固定される。
【００３０】
このとき、第１レセプタクルコンタクト７０は、その全体が前側空間６６内に収まるように構成されている。すなわち、第１レセプタクルコンタクト７０の全長（軸方向の長さ）は、前側空間６６の全長（軸方向の長さ）とほぼ同じ大きさに形成されている。よって、第１レセプタクルコンタクト７０の被覆圧着部７９は、コンタクト収容空間６５のうち、縦方向（上下方向）に狭幅となる前側空間６６内に位置し、この被覆圧着部７９と前側空間６６の壁面とが僅かなクリアランスのもとで上下方向に対峙することになる。
【００３１】
第２レセプタクルコンタクト８０は、その先端側から順に、左右の側板部８１およびこれらを繋ぐ上板部８２を有してなる接続部８３と、この接続部８３の後部に繋がりケーブルＣの芯線Ｃ１を保持する芯線圧着部８８と、この芯線圧着部８８の後部に繋がりケーブルＣの絶縁被覆Ｃ２を保持する被覆圧着部８９とを備えて構成される。
【００３２】
接続部８３には、各側板部８１の開放端から内側に折り返されて前方に向けて片持ち状に延出される一対の弾性片部８４が設けられている。この弾性片部８４は、平面視において「へ」の字形に折曲形成されており、その折曲部分に凸状の接触部８５が設けられている。一対の接触部８５は、弾性片部８４の自由端側において左右に対向配置されており、この弾性片部８４の弾性変形に応じて、その対向方向（すなわち近接又は離間する方向）に変位可能である。この一対の接触部８５の間隔は、第２プラグコンタクト４０の板厚よりも小さく形成されており、弾性片部８４の弾性力（復元力）に基づいて該第２プラグコンタクト４０の接触部４１を弾性的に両側から挟み込んだ状態で接触可能となっている。そのため、第２レセプタクルコンタクト８０は、その一対の接触部８５により第２プラグコンタクト４０と二点で接触が可能である。
【００３３】
また、左右の側板部８１には、コンタクト収容空間６５に対する第２レセプタクルコンタクト８０の逆挿し（上下反対姿勢での挿し込み）を防止するための規制片部８１ａが設けられている。すなわち、第２レセプタクルコンタクト８０がコンタクト収容空間６５に対して正規の向き（規制片部８１ａが上向き）である場合に第２レセプタクルコンタクト８０の挿入を許容し、第２レセプタクルコンタクト８０がコンタクト収容空間６５に対して非正規の向き（規制片部８１ａが下向き）である場合に第２レセプタクルコンタクト８０の挿入を規制する（規制片部８１ａが下壁に干渉する）ようになっている。また、左右の側板部８１には、コンタクト収容突起６３のラッチ部６３ｂと係合可能な係止部８１ｂが形成されている。第２レセプタクルコンタクト８０は、この係止部８１ｂとラッチ部６３ｂとの係合によって、コンタクト収容空間６５内での前後方向の位置が規定される。
【００３４】
被覆圧着部８８は、Ｕ字状に起立する一対の圧着片８８ａを有し、この圧着片８８ａを加締めることで２本のケーブルＣの被覆部Ｃ２を圧着可能に形成されている。芯線圧着部８９は、Ｕ字状に起立する一対の圧着片８９ａを有し、この圧着片８９ａを加締めることで２本のケーブルＣの芯線Ｃ１を圧着可能に形成されている。なお、第２レセプタクルコンタクト８０の接続部８３および芯線圧着部８８縦幅（上下方向の幅）は、前側空間６６の縦幅（上下方向の幅）よりも小さく形成され、被覆圧着部７９の縦幅（上下方向の幅）は、前側空間６６の縦幅（上下方向の幅）よりも大きく且つ後側空間６７の縦幅（上下方向の幅）よりも小さく形成されている。
【００３５】
ここで、第２レセプタクルコンタクト８０に２本のケーブルＣ（上下に重ね合わされた２本のケーブルＣ）を接続するには、このケーブルＣの絶縁被覆Ｃ２に第２レセプタクルコンタクト８０の被覆圧着部８９を加締め加工（圧着）するとともに、ケーブルＣから露出した芯線Ｃ１部分に第２レセプタクルコンタクト８０の芯線圧着部８８を加締め加工（圧着）する。これにより、第２レセプタクルコンタクト８０がケーブルＣの端部に固定されるとともに、第２レセプタクルコンタクト８０とケーブルＣとが導通される。
【００３６】
この第２レセプタクルコンタクト８０は、レセプタクルハウジング６０の後端部に開口された上列のコンタクト収容空間６５に挿入されて、規制片部８１ａが上向きとなる収容姿勢でコンタクト収容空間６５内に取り付けられる。このとき、第２レセプタクルコンタクト８０の係止部８１ｂがコンタクト収容突起６３のラッチ部６３ｂと係合して第２レセプタクルコンタクト８０の前後方向の移動が規制されるとともに、第２レセプタクルコンタクト８０がコンタクト収容空間６５の壁面と近接又は当接して第２レセプタクルコンタクト８０の上下左右への移動が規制されることで、第２レセプタクルコンタクト８０がレセプタクルハウジング６０内に抜け止め状態で固定される。
【００３７】
このとき、第２レセプタクルコンタクト８０のうち接続部８３および芯線圧着部８８はコンタクト収容空間６５の前側空間６６内に収まり、第２レセプタクルコンタクト８０のうち被覆圧着部８９はコンタクト収容空間６５の後側空間６７内に収まるように構成されている。よって、第２レセプタクルコンタクト８０の被覆圧着部８９は、コンタクト収容空間６５のうち、縦方向（上下方向）に広幅となる後側空間６７内に位置し、この被覆圧着部８９と後側空間６７の壁面とが僅かなクリアランスのもとで上下方向に対峙することになる。
【００３８】
かかる構成のレセプタクルコネクタ５０において、図１８（ｂ）に示すように、下列の１本のケーブルＣに煽りが生じて、該ケーブルＣと第１レセプタクルコンタクト７０との接続部分である被覆圧着部７９に対して略垂直な力（下方向の力）が作用した場合、この被覆圧着部７９と前側空間６６の内壁との間には僅かな隙間しかないため、ケーブルＣの煽りに起因して被覆圧着部７９が下方向に変位しようとしても、前側空間６６の内壁との当接によって、被覆圧着部７９の変位量を弾性変形可能な範囲（塑性変形に至る前の範囲）に制限して、第１レセプタクルコンタクト７０の過剰な変形を防止することができる。
【００３９】
同様に、図１８（ｃ）に示すように、上列の２本のケーブルＣに煽りが生じて、該ケーブルＣと第２レセプタクルコンタクト８０との接続部分である被覆圧着部８９に対して略垂直な力（上方向の力）が作用した場合、被覆圧着部８９と後側空間６７の内壁との間には、僅かな隙間しか形成されていないため、ケーブルＣの煽りにより被覆圧着部８９が下方向に変位しようとした場合でもあっても、後側空間６７の内壁との当接によって、被覆圧着部８９の変位量を弾性変形可能な範囲（塑性変形に至る前の範囲）に制限して、第２レセプタクルコンタクト８０の過剰な変形を防止することができる。
【００４０】
以上、本実施形態に係るコネクタ装置１によれば、レセプタクルハウジング６０内のコンタクト収容空間６５を各レセプタクルコンタクト７０，８０間で共通としながらも、第１レセプタクルコンタクト７０と第２レセプタクルコンタクト８０との軸方向の長さを互いに異ならしめて、第１レセプタクルコンタクト７０のうち１本のケーブルＣとの接続部分である被覆圧着部７９を狭幅の前側空間６６に位置させるとともに、第２レセプタクルコンタクト８０のうち２本のケーブルＣとの接続部分である被覆圧着部８９を広幅の後側空間６７に位置させて、各レセプタクルコンタクト７０，８０の被覆圧着部７９，８９とコンタクト収容空間６５の内壁とを僅かなクリアランスで対峙させることで、ケーブルＣに煽り等の外力が付加されてレセプタクルコンタクト７０，８０の被覆圧着部７９，８９に垂直な力が生じた場合でも、コンタクト収容空間６５の内壁との当接により、被覆圧着部７９，８９の変位量を弾性変形可能な範囲内に制限して、各レセプタクルコンタクト７０，８０の過剰な変形を防止することができ、その結果、ハウジングを変更することなく、単数本用の第１レセプタクルコンタクト７０と複数本用の第２レセプタクルコンタクト８０との二種類のコンタクトを自由な配置で混在させることが可能となる。
【００４１】
なお、本発明は、上記実施形態に限定されるものではなく、本発明の要旨を逸脱しない
範囲であれば適宜改良可能である。
【００４２】
上述の実施形態では、第１レセプタクルコンタクト７０を下列に配置し、第２レセプタクルコンタクト８０を上列に配置した構成を例示したが、この構成に限定されるものではなく、各レセプタクルコンタクト７０，８０を自由な配置で混在させることが可能である。
【００４３】
また、上述の実施形態では、レセプタクルコンタクト７０，８０を上下二列のコンタクト配置とする構成を例示したが、この構成に限定されるものではなく、一列のみ、或いは、三列以上の複数段の配列に対応したコンタクト配置としてもよい。
【００４４】
また、上述の実施形態では、第２レセプタクルコンタクト８０を２本のケーブルＣの端部に圧着した構成を例示したが、この構成に限定されるものではなく、３本以上の複数本のケーブルＣの端部に圧着した構成を採用してもよい。
【符号の説明】
【００４５】
１  コネクタ装置
１０  プラグコネクタ（相手側コネクタ）
５０  レセプタクルコネクタ（ケーブルコネクタ）
６０  レセプタクルハウジング（ハウジング）
６５  コンタクト収容空間（コンタクト収容部）
６６  前側空間（一端側収容空間）
６７  後側空間（他端側収容空間）
７０  第１レセプタクルコンタクト（第１コンタクト）
７３  接続部（第１コンタクト本体部）
７８  芯線圧着部（第１コンタクト本体部）
７９  被覆圧着部（第１被覆保持部）
８０  第２レセプタクルコンタクト（第２コンタクト）
８３  接続部（第２コンタクト本体部）
８８  芯線圧着部（第２コンタクト本体部）
８９  被覆圧着部（第２被覆圧着部）
Ｃ    ケーブル
Ｃ１  芯線
Ｃ２  絶縁被覆
【図１】
0006674785.tif 000002
【図２】
0006674785.tif 000003
【図３】
0006674785.tif 000004
【図４】
0006674785.tif 000005
【図５】
0006674785.tif 000006
【図６】
0006674785.tif 000007
【図７】
0006674785.tif 000008
【図８】
0006674785.tif 000009
【図９】
0006674785.tif 000010
【図１０】
0006674785.tif 000011
【図１１】
0006674785.tif 000012
【図１２】
0006674785.tif 000013
【図１３】
0006674785.tif 000014
【図１４】
0006674785.tif 000015
【図１５】
0006674785.tif 000016
【図１６】
0006674785.tif 000017
【図１７】
0006674785.tif 000018
【図１８】
0006674785.tif 000019
【図１９】
0006674785.tif 000020